(57)【要約】【課題】より高い精度で磁気を検出する磁気検出装置、及び紙葉類処理装置を提供する。【解決手段】一実施形態に係る磁気検出装置は、長手方向の端部に端面を有し、紙葉類が搬送される搬送路を挟んで前記端面が対向するように配置された１対のコアと、前記１対のコアの対向する端面とは逆側の端面の間に閉磁路を形成する閉磁路形成手段と、対向する前記端面の間の磁束の変化を検出する検出手段と、を具備する。【選択図】      図３
2013190939.tif 000002
【特許請求の範囲】
【請求項１】
長手方向の端部に端面を有し、紙葉類が搬送される搬送路を挟んで前記端面が対向するように配置された１対のコアと、
前記１対のコアの対向する端面とは逆側の端面の間に閉磁路を形成する閉磁路形成手段と、
対向する前記端面の間の磁束の変化を検出する検出手段と、
を具備する磁気検出装置。
【請求項２】
前記閉磁路形成手段は、前記１対のコアの対向する端面とは逆側の両端面に接合された軟磁性体を備える、請求項１に記載の磁気検出装置。
【請求項３】
前記軟磁性体は、前記紙葉類が搬送される搬送路を覆いこむようにコの字状で形成された形状を備える、請求項２に記載の磁気検出装置。
【請求項４】
前記軟磁性体は、前記紙葉類が搬送される搬送路を包み込むように形成された形状を備える、請求項２に記載の磁気検出装置。
【請求項５】
前記紙葉類の搬送方向と前記搬送路上で直交する方向に配列された複数対のコアをさらに具備する、請求項２に記載の磁気検出装置。
【請求項６】
前記１対のコアは、対向する両端面にそれぞれ接合され、この両端面より大きい面積の端面を有する１対の指向性部材を備える、請求項１に記載の磁気検出装置。
【請求項７】
紙葉類を搬送する搬送部と、
長手方向の端部に端面を有し、前記紙葉類が搬送される搬送路を挟んで前記端面が対向するように配置された１対のコアと、
前記１対のコアの対向する端面とは逆側の端面の間に閉磁路を形成する閉磁路形成手段と、
対向する前記端面の間の磁束の変化を検出する検出手段と、
前記検出手段の検出結果に基づいて、前記紙葉類を識別する識別手段と、
前記識別手段の識別結果に基づいて、前記紙葉類を区分する区分処理部と、
を具備する紙葉類処理装置。
【発明の詳細な説明】
【技術分野】
【０００１】
本発明の実施形態は、磁気検出装置、及び紙葉類処理装置に関する。
【背景技術】
【０００２】
従来、種々の紙葉類の検査を行う紙葉類処理装置が実用化されている。紙葉類処理装置は、紙葉類上の磁気を検出する磁気検出装置を有する。紙葉類処理装置は、投入部に投入された紙葉類を１枚ずつ取り込み、磁気検出装置に搬送する。
【０００３】
磁気検出装置は、搬送される紙葉類から、紙葉類の磁気的な特徴（特徴量）を検出する。紙葉類処理装置は、予め設定された種々のパラメータと、検出された特徴量との比較を行うことにより、紙葉類を識別する。
【先行技術文献】
【特許文献】
【０００４】
【特許文献１】特開２００２−４２２０３号公報
【発明の概要】
【発明が解決しようとする課題】
【０００５】
磁気検出装置は、透磁率の高いコアと、このコアに巻かれたコイルとを有する。このコアは、紙葉類が搬送される搬送面を挟んで対向するように設けられる。磁気検出装置は、コア間のギャップを紙葉類が通過する場合に生じる磁束の変化に応じて、紙葉類上の磁気を検出する。
【０００６】
しかし、空気中では、透磁率が低い為、紙葉類が通過した場合の磁束の変化量が小さい。この為、従来の磁気検出装置では十分な精度が得られない場合があるという課題がある。
【０００７】
そこで、より高い精度で磁気を検出する磁気検出装置、及び紙葉類処理装置を提供することを目的とする。
【課題を解決するための手段】
【０００８】
一実施形態に係る磁気検出装置は、長手方向の端部に端面を有し、紙葉類が搬送される搬送路を挟んで前記端面が対向するように配置された１対のコアと、前記１対のコアの対向する端面とは逆側の端面の間に閉磁路を形成する閉磁路形成手段と、対向する前記端面の間の磁束の変化を検出する検出手段と、を具備する。
【図面の簡単な説明】
【０００９】
【図１】図１は、一実施形態に係る紙葉類処理装置について説明するための図である。
【図２】図２は、一実施形態に係る磁気検出装置について説明するための図である。
【図３】図３は、一実施形態に係る磁気検出装置の処理について説明するための図である。
【図４】図４は、一実施形態に係る磁気検出装置の処理について説明するための図である。
【図５】図５は、一実施形態に係る磁気検出装置の処理について説明するための図である。
【図６】図６は、一実施形態に係る磁気検出装置の処理について説明するための図である。
【図７】図７は、一実施形態に係る磁気検出装置の処理について説明するための図である。
【図８】図８は、一実施形態に係る磁気検出装置の処理について説明するための図である。
【図９】図９は、一実施形態に係る磁気検出装置の処理について説明するための図である。
【図１０】図１０は、一実施形態に係る磁気検出装置の処理について説明するための図である。
【図１１】図１１は、一実施形態に係る磁気検出装置の処理について説明するための図である。
【発明を実施するための形態】
【００１０】
以下、図面を参照しながら、一実施形態に係る磁気検出装置、及び磁気検出装置を備える紙葉類処理装置について詳細に説明する。
【００１１】
図１は、一実施形態に係る紙葉類処理装置１００の構成例を示す。  
紙葉類処理装置１００は、画像検出装置、及び磁気検出装置による検出結果に基づいて、紙葉類１の券種（ｄｅｎｏｍｉｎａｔｉｏｎ）及び世代（ｇｅｎｅｒａｔｉｏｎ）などのカテゴリ（ｃａｔｅｇｏｒｙ）、紙葉類１の真偽（ａｕｔｈｅｎｔｉｃａｔｉｏｎ）、並びに、紙葉類１の正損（ｆｉｔｎｅｓｓ）などを識別することができる。
【００１２】
紙葉類処理装置１００は、供給部１０、分離ローラ１１、搬送系１２、第１のゲート１３、第１のスタッカ１４、第２のゲート１５、第２のスタッカ１６、画像取得部２０、磁気検出部３０、制御部４０、バッファメモリ５０、辞書記憶部６０、操作部７０、表示部８０、及び入出力部９０を備える。また、紙葉類処理装置１００は、第２のゲート１５の後段に図示しない裁断部を備える。
【００１３】
制御部４０は、紙葉類処理装置１００の各部の動作を統合的に制御する。制御部４０は、ＣＰＵ、ランダムアクセスメモリ、プログラムメモリ、及び不揮発性メモリなどを備える。ＣＰＵは、種々の演算処理を行う。ランダムアクセスメモリは、ＣＰＵにより行われる演算の結果を一時的に記憶する。プログラムメモリ及び不揮発性メモリは、ＣＰＵが実行する種々のプログラム及び制御データなどを記憶する。制御部４０は、ＣＰＵによりプログラムメモリに記憶されているプログラムを実行することにより、種々の処理を行うことができる。
【００１４】
供給部１０は、紙葉類処理装置１００に取り込む紙葉類１をストックする。供給部１０は、重ねられた状態の紙葉類１をまとめて受け入れる。
【００１５】
分離ローラ１１は、供給部１０の下端に設置される。供給部１０に紙葉類１が投入される場合、投入された紙葉類１の集積方向の下端に接する。分離ローラ１１は、回転することにより、供給部１０にセットされる紙葉類１を集積方向の下端から１枚ずつ紙葉類処理装置１００の内部に取り込む。
【００１６】
分離ローラ１１は、たとえば、１回転するごとに１枚の紙葉類１を取り込むように機能する。これにより、分離ローラ１１は、紙葉類１を一定のピッチで取り込む。分離ローラ１１により取り込まれた紙葉類１は、搬送系１２に導入される。
【００１７】
搬送系１２は、紙葉類１を紙葉類処理装置１００内の各部に搬送する搬送部である。搬送系１２は、図示しない搬送ベルト及び図示しない駆動プーリなどを備える。搬送系１２は、図示しない駆動モータにより駆動プーリを駆動する。搬送ベルトは、駆動プーリにより動作する。
【００１８】
搬送系１２は、分離ローラ１１により取り込む紙葉類１を搬送ベルトにより一定速度で搬送する。なお、搬送系１２において分離ローラ１１に近い側を上流側、逆側を下流側として説明する。
【００１９】
画像取得部２０は、搬送系１２により搬送される紙葉類１から画像を取得する。画像取得部２０は、例えば、２つの光学センサを備える。２つの光学センサは、搬送系１２を挟んで互いに対向するように配置される。光学センサは、紙葉類１の光学的特徴情報を検出する。即ち、画像取得部２０は、光学センサにより、搬送系１２により搬送される紙葉類１の両面の画像を読み取る。
【００２０】
画像取得部２０は、紙葉類１の券面を二次元的に撮像する。画像取得部２０の光学センサは、例えば、Ｃｈａｒｇｅ  Ｃｏｕｐｌｅｄ  Ｄｅｖｉｃｅ（ＣＣＤ）などの受光素子と、光学系と、光源とを備える。光学センサは、搬送される紙葉類１に対して光源により光を投光し、反射光または透過光を光学系により受光する。光学センサは、光学系により受光した光をＣＣＤに結像させ、電気信号（画像）を取得する。
【００２１】
磁気検出部３０は、搬送系１２により搬送される紙葉類１から磁気を検出する。磁気検出部３０は、例えば、２つのコアを備える。２つのコアは、搬送系１２を挟んで互いに対向するように配置される。磁気検出部３０は、コア内の磁束に応じて電磁誘導により電気信号を生成し、コア間の磁気の変化を検出する。
【００２２】
制御部４０は、画像取得部２０により取得された画像、及び磁気検出部３０により検出された信号に応じて特徴量を算出する。制御部４０は、画像取得部２０により撮像した画像に基づいて、紙葉類１の表面及び裏面の光学的な特徴量を算出する。また、制御部４０は、磁気検出部３０により検出された信号に基づいて、紙葉類１の磁気的な特徴量を算出する。
【００２３】
制御部４０は、算出した特徴量に基づいて、紙葉類１の真偽を識別する。即ち、制御部４０は、紙葉類１が真券(ｇｅｎｕｉｎｅ)であるか、偽券(ｃｏｕｎｔｅｒｆｅｉｔ)であるか識別する。
【００２４】
また、制御部４０は、算出した特徴量に基づいて、紙葉類１の券種及び世代などのカテゴリを識別する。
【００２５】
さらに、制御部４０は、算出した特徴量に基づいて、紙葉類１の正損を識別する。即ち、制御部４０は、紙葉類１が再流通（ｒｅｃｉｒｃｕｌａｔｉｏｎ）可能な正券（ｆｉｔ  ｓｈｅｅｔ）であるか、再流通不可能な損券（ｕｎｆｉｔ  ｓｈｅｅｔ）であるかを識別する。
【００２６】
第１のゲート１３及び第２のゲート１５は、搬送系１２の画像取得部２０より下流に設けられる。第１のゲート１３及び第２のゲート１５は、それぞれ制御部４０の制御に基づいて動作する。制御部４０は、紙葉類１に対する各種の識別の結果に応じて第１のゲート１３及び第２のゲート１５を制御する。
【００２７】
第１のゲート１３は、紙葉類１の搬送先を第１のスタッカ１４と第２のゲート１５とで切り替える。また、第２のゲート１５は、紙葉類１の搬送先を第２のスタッカ１６と裁断部とで切り替える。
【００２８】
制御部４０は、正券と判定した紙葉類１を第１のスタッカ１４または第２のスタッカ１６に搬送するように、第１のゲート１３及び第２のゲート１５を制御する。即ち、制御部４０は、正券を種類毎に区分けして集積するように各部を制御する。
【００２９】
また、制御部４０は、損券と判定した紙葉類１を第２のゲート１５の後段に設けられる裁断部に搬送するように、第１のゲート１３及び第２のゲート１５を制御する。即ち、制御部４０は、損券と判定した紙葉類１を裁断部に搬送し、裁断部により裁断するように各部を制御する。
【００３０】
バッファメモリ５０は、種々の処理結果を記憶する。例えば、バッファメモリ５０は、画像取得部２０により取得された入力画像、及び磁気検出部３０により検出された信号を記憶する。また、バッファメモリ５０は、制御部４０により算出された特徴量（光学特徴量、及び磁気特徴量）などを記憶する。なお、バッファメモリ５０は、制御部４０が備えるランダムアクセスメモリまたは不揮発性メモリなどにより代用されてもよい。
【００３１】
辞書記憶部６０は、上記の識別処理に用いられる種々のパラメータを記憶する。辞書記憶部６０は、例えば、紙葉類のカテゴリ毎にパラメータを予め記憶する。制御部４０は、辞書記憶部６０により記憶されているパラメータと、上記の光学特徴量及び磁気特徴量とに基づいて、上記の識別処理を行う。これにより、制御部４０は、紙葉類のカテゴリ、真偽、及び正損を識別することができる。
【００３２】
操作部７０は、オペレータによる各種操作入力を操作部により受け付ける。操作部７０は、オペレータにより入力される操作に基づいて操作信号を生成し、生成した操作信号を制御部４０に伝送する。表示部８０は、制御部４０の制御に基づいて種々の画面を表示する。例えば、表示部８０は、オペレータに対して各種の操作案内、及び処理結果などを表示する。なお、操作部７０と表示部８０とは、タッチパネルとして一体に形成されていてもよい。
【００３３】
入出力部９０は、紙葉類処理装置１００に接続される外部機器、または記憶媒体とデータの送受信を行う。例えば、入出力部９０は、ディスクドライブ、ＵＳＢコネクタ、ＬＡＮコネクタ、またはデータの送受信が可能な他のインターフェースなどを備える。紙葉類処理装置１００は、入出力部９０に接続される外部機器、または記憶媒体からデータを取得することができる。また、紙葉類処理装置１００は、入出力部９０に接続される外部機器、または記憶媒体に処理結果を伝送することもできる。
【００３４】
図２乃至図３は、一実施形態に係る磁気検出部３０の構成例を示す。図２は、磁気検出部３０の一部を示す斜視図である。図３は、紙葉類１の搬送方向から磁気検出部３０を見た図である。
【００３５】
磁気検出部３０は、紙葉類１の印刷に使用されているインキに含まれた磁性体を非接触で検出する。磁気検出部３０は、コア３１、コア３２、及びヨーク３３を備える。
【００３６】
コア３１及びコア３２は、たとえば、アモルファス箔が積層されて形成された軟磁性体である。コア３１及びコア３２は、長手方向における断面が長方形であり、且つ、長手方向の両端部にそれぞれ端面を有する。即ち、コア３１は、端面３１ａ及び端面３１ｂを備える。
【００３７】
また、図３に示されるように、コア３２は、端面３２ａ及び端面３２ｂを備える。コア３１及びコア３２は、コア３１の一方の端面３１ａと、コア３２の一方の端面３２ａとが紙葉類１が搬送される搬送系１２を挟んで互いに対向するように設けられている。また、コア３１及びコア３２は、端面３１ａの中心と、端面３２ａの中心とが一直線上に繋がるように配置される。これにより、コア３１の端面３１ａとコア３２の端面３２ａとの間にギャップＧが形成される。また、コア３１及びコア３２は、コア３１及びコア３２の対向した端面３１ａ及び端面３２ａと、搬送系１２により搬送されている紙葉類１の表面と、が平行になるように設けられている。
【００３８】
ヨーク３３は、空気、及び紙葉類１に対して高い透磁率を有する軟磁性体である。ヨーク３３は、紙葉類１が搬送される搬送路を覆いこむように設けられる。ヨーク３３は、紙葉類１の搬送方向から見て四角形の１つの辺を除いた形状で形成される。即ち、ヨーク３３は、紙葉類１が搬送される搬送路を覆いこむようにコの字状で形成される。
【００３９】
また、コア３１及びコア３２は、コア３１の他方の端面３１ｂ及びコア３２の他方の端面３２ｂがヨーク３３の両端部に接合されるように設けられる。なお、ヨーク３３とコア３１及びコア３２とは、透磁率の高い材質で密着するように接合される。このような構成により、コア３１の端面３１ｂとコア３２の端面３２ｂとの間に、空気及び紙葉類１に比べて透磁率の高い磁路（閉磁路）が形成される。即ち、閉磁路は、コア３１の端面３１ｂとコア３２の端面３２ｂとの間で空気のギャップ（エアギャップ）が形成されないように形成される。
【００４０】
この結果、空気中を伝搬する磁束がコア３１の端面３１ａとコア３２の端面３２ａとの間のギャップＧに集中する。即ち、このような構成を備える磁気検出装置３０は、紙葉類１が通過するギャップＧを伝搬する磁束の磁束密度を高めることができる。
【００４１】
また、図３に示されるように、コア３１にはコイル３１ｃが巻かれている。また、コア３２にはコイル３２ｃが巻かれている。コイル３１ｃは、コア３１の端面３１ｂに近い端子３１ｄとコア３１の端面３１ａに近い端子３１ｅとを備える。
【００４２】
また、コイル３２ｃは、コア３２の端面３２ｂに近い端子３２ｄとコア３２の端面３２ａに近い端子３２ｅとを備える。コイル３１ｃの端子３１ｅとコイル３２ｃの端子３２ｅとは互いに電気的に接続されている。
【００４３】
磁気検出装置３０は、端子３１ｄと端子３２ｄとの電位差に応じて検出信号を生成する。磁気検出装置３０は、検出信号を制御部４０に送信する。
【００４４】
即ち、端面３１ａと端面３２ａとの間のギャップＧ内に磁性粉などを含む磁気インキで印刷された紙葉類１が存在する場合、ギャップＧ内の磁力線の分布が変化する。即ち、磁気回路のインダクタンスが変化する。この為、コイル３１ｃ及びコイル３２ｃを含む回路のインピーダンスが変化する。インピーダンスが変化した場合、端子３１ｄと端子３２ｄとの間の電位差が変化する。磁気検出部３０は、この電位差の変化を信号として制御部４０に送信する。
【００４５】
制御部４０は、磁気検出装置３０から送信された検出信号に応じて磁気特徴量を算出する。制御部４０は、磁気特徴量に応じて紙葉類１を識別する。
【００４６】
図４は、コアとコアの周辺に発生する磁界を図示したものである。  
（ａ）は、１対のコアのみの構成の例を示す。この場合、コアの端面から空気中に磁束が伝播し、他のコアの端面に磁束が入射する。この為、コア間のギャップの磁束密度が低い状態になる。
【００４７】
（ｂ）は、１対のコアと、このコアと接合されていない複数のヨークとを備える構成の例を示す。この場合、コアの端面から空気中に磁束が伝播し、磁束がヨークに入射する。磁束は、ヨーク内を伝播し、他のコアの端面に入射する。この構成は、（ａ）に比べてコア間のギャップの磁束密度が高い状態になる。
【００４８】
（ｃ）は、図２及び図３に示されたように、１対のコアと、このコアの端面に接合されたヨークを具備する。この場合、コアの端面からヨーク内中に磁束が伝播し、磁束がヨークに入射する。磁束は、ヨーク内を伝播し、ヨークから直接他のコアの端面に入射する。この為、空気中に伝播する磁束の数が（ａ）及び（ｂ）に比べて少ない。この結果、コア間のギャップの磁束密度が（ａ）及び（ｂ）に比べて高い状態になる。
【００４９】
上記したように、磁気検出部３０は、コアのギャップを形成しない端面同士を磁気的に接続するヨークを備えた閉磁路を形成している。これにより、磁気検出部３０は、空気中に磁束が伝播することを防ぐことができる。即ち、磁気検出部３０は、ギャップＧの磁束密度を高めることができる。これにより、磁気検出部３０は、高い精度でギャップＧにおける磁界の変化を検出することができる。この結果、より高い精度で磁気を検出する磁気検出装置、及び紙葉類処理装置を提供することができる。
【００５０】
なお、上記した実施形態では、ヨーク３３は、コの字形状で形成されるとして説明したが、この構成に限定されない。ヨーク３３は、コアのギャップを形成しない端面間に閉磁路を形成する構成であれば、如何なる形状であってもよい。
【００５１】
図５及び図６は、一実施形態に係る磁気検出部３０の他の構成例を示す。図５は、磁気検出部３０の一部を示す斜視図である。図６は、紙葉類１の搬送方向から磁気検出部３０を見た図である。図５及び図６の例は、図２及び図３の例と比べてヨーク３３の形状が異なる。
【００５２】
図５及び図６に示されるように、ヨーク３３は、紙葉類１の搬送路を包むように形成されている。このような形状でヨーク３３が形成されていた場合、ヨーク３３の端部から空気中に漏れる磁束を減らすことができる。この結果、よりギャップＧに磁束が集中する。この為、磁気検出部３０は、より高い精度で磁気を検出することができる。
【００５３】
図７及び図８は、一実施形態に係る磁気検出部３０のさらに他の構成例を示す。図７は、磁気検出部３０の一部を示す斜視図である。図８は、紙葉類１の搬送方向から磁気検出部３０を見た図である。図７及び図８の例は、図５及び図６の例と比べてコア３１及びコア３２の数が異なる。
【００５４】
図７及び図８に示されるように、ヨーク３３は、紙葉類１の搬送路を包むように形成されている。また、磁気検出部３０は、複数のコア３１と、コア３１と同じ数のコア３２とヨーク３３と、を備える。
【００５５】
複数のコア３１は、紙葉類１の搬送方向ａと搬送面上において直交する方向（即ち走査方向）に配列されている。また、複数のコア３２は、上記の複数のコア３１とそれぞれ対向するように配列される。これにより、複数のコア３１と複数のコア３２との間に、複数のギャップＧが形成される。この場合、磁気検出部３０は、各ギャップＧ毎に磁気を検出することができる。これにより、磁気検出部３０は、紙葉類１上の磁気を含む箇所を特定することができる。
【００５６】
また、複数のコア３１のギャップと反対側の端部は、それぞれヨーク３３に接合されている。また、複数のコア３２のギャップと反対側の端部は、それぞれヨーク３３に接合されている。これにより、複数のコア３１及び３２のギャップと反対側の端部間に閉磁路が形成される。このように、コアが複数配列されている場合であっても、ギャップとは反対側の端部がヨーク３３により接続されることにより、空気中に漏れる磁束を減らすことができる。これにより、各ギャップＧに磁束が集中する。この為、磁気検出部３０は、高い精度で磁気を検出することができる。
【００５７】
また、上記したような磁気検出部３０は、例えば、コア３１とコア３２とのギャップＧの長さが３ｍｍになるように構成される。なお、コアの端面の面積が小さいほど、ギャップＧを伝播する磁束の回り込みが大きくなる。また、磁束密度が高いほど、ギャップＧを伝播する磁束の回り込みが大きくなる。この為、このギャップＧの長さに対して、コア３１及びコア３２のギャップＧ側の端面３１ａ及び短面３２ａの短辺の長さが極めて小さい場合、ギャップＧ間の磁束の広がりが大きくなる。
【００５８】
この為、紙葉類１がギャップＧ間で上下方向にばたつく場合、紙葉類１を透過する磁束密度がばたつきに応じて変化する可能性がある。そこで、磁気検出部３０は、コア３１及びコア３２の端面３１ａ及び短面３２ａ端面の短辺が十分長さになるように構成されていることが望ましい。
【００５９】
図９及び図１０に示されるように、磁気検出部３０は、コア３１のギャップＧ側に接合された指向性部材３４、及びコア３２のギャップＧ側に接合された指向性部材３５をさらに備える。指向性部材３４は、コア３１の端面３１ａに対して短辺が大きい端面３４ａを有する。また、指向性部材３５は、コア３２の端面３２ａに対して短辺が大きい端面３５ａを有する。この場合、指向性部材３４及び指向性部材３５は、端面３４ａと端面３５ａとが対向するようにコア３１及びコア３２に接合される。
【００６０】
上記したように、コア３１及びコア３２より端面の短辺が大きい軟磁性体が接合された場合、軟磁性体内に磁束が広がり、磁束が軟磁性体から空気中に飛び出す。即ち、この場合、コア３１から磁束が指向性部材３４内に広がり、指向性部材３４の端面３４ａから空気中に磁束が飛び出す。また、コア３２から磁束が指向性部材３５内に広がり、指向性部材３５の端面３５ａから空気中に磁束が飛び出す。この結果、端面３４ａと端面３５ａとの間にギャップＧが形成される。
【００６１】
指向性部材３４及び指向性部材３５は、コア３１及びコア３２と同程度の透磁率を有する軟磁性体である。上記したように、コア３１の端面３１ａ及びコア３２の端面３２ａに比べて短辺が大きい端面３４ａ及び端面３５ａを備える。即ち、端面３４ａ及び端面３５ａは、端面３１ａ及び端面３２ａに比べて面積が大きい。この為、指向性部材３４及び指向性部材３５は、ギャップＧの磁束密度を低くすることができる。これにより、指向性部材３４及び指向性部材３５は、ギャップＧにおける磁束の指向性を高めることができる。
【００６２】
図１１は、コアとコアの周辺に発生する磁界を図示したものである。  
（ａ）は、図２及び図３に示された例のように、１対のコア３１及び３２と、このコアの端面に接合されたヨーク３３を具備する。この場合、コア３１及び３２の端面３１ｂ及び３２ｂからヨーク３３内中に磁束が伝播する。また、コア３１及び３２の端面３１ａ及び３２ａに集中して磁束が空気中を伝播する。しかし、ギャップＧの長さに比べてコア３１及び３２の端面３１ａ及び３２ａの短辺が短い為、ギャップＧ内の位置によって磁束密度のばらつきが大きい。
【００６３】
（ｂ）は、１対のコア３１及び３２と、このコアの端面に接合されたヨーク３３と、コア３１及び３２の端面３１ａ及び３２ａに接合された指向性部材３４及び指向性部材３５を備える。この指向性部材３４及び指向性部材３５の端面３４ａ及び３５ａは、ギャップＧの長さに対して十分な長さの短辺を有する。この場合、図１１の（ｂ）に示されるように、ギャップＧ内において磁束密度のばらつきが（ａ）に比べて小さくなる。
【００６４】
また、（ｃ）は、１対のコア３１及び３２と、このコアの端面に接合されたヨーク３３とを備える。（ｃ）に示されたコア３１の端面３１ａ、及びコア３２の端面３２ａは、ギャップＧの長さに対して十分に大きい長さの短辺を有する。この場合も、ギャップＧ内において磁束密度のばらつきが（ａ）に比べて小さくなる。また、コア３１及びコア３２が１つの素材により形成されている為、空気中に漏れ出す磁束の数を（ｂ）に比べて減らすことができる。
【００６５】
上記したように、磁気検出部３０は、コアのギャップを形成する端面の短辺を大きくすることにより、ギャップＧ間における磁束の密度の変化量を小さくすることができる。これにより、磁気検出部３０は、紙葉類１がばたついた場合であっても、紙葉類１の磁気を高い精度で検出することができる。この結果、より高い精度で磁気を検出する磁気検出装置、及び紙葉類処理装置を提供することができる。
【００６６】
なお、上記した実施形態では、磁束検出部３０は、コア３１とコア３２とヨーク３３とを備える構成であると説明したが、この構成に限定されない。磁気検出部３０は、軟磁性体により搬送路を覆いこむ形状で形成されたコアを備える構成であってもよい。
【００６７】
また、コア３１及びコア３２は、長手方向における断面が長方形であると説明したが、この構成に限定されない。断面は、正方形、円形、または磁束が空気中に漏れにくい他の形状であってもよい。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６９】
１…紙葉類、１０…供給部、１１…分離ローラ、１２…搬送系、１３…第１のゲート、１４…第１のスタッカ、１５…第２のゲート、１６…第２のスタッカ、２０…画像取得部、３０…磁気検出部、３１…コア、３２…コア、３３…ヨーク、３４…指向性部材、３５…指向性部材、４０…制御部、５０…バッファメモリ、６０…辞書記憶部、７０…操作部、８０…表示部、９０…入出力部、１００…紙葉類処理装置。
【図１】
2013190939.tif 000003
【図２】
2013190939.tif 000004
【図３】
2013190939.tif 000005
【図４】
2013190939.tif 000006
【図５】
2013190939.tif 000007
【図６】
2013190939.tif 000008
【図７】
2013190939.tif 000009
【図８】
2013190939.tif 000010
【図９】
2013190939.tif 000011
【図１０】
2013190939.tif 000012
【図１１】
2013190939.tif 000013